(57)【要約】  【課題】太陽光などが直接入射する場合においても、液晶パネルなどの表示を見やすくする。  【解決手段】装置本体が屋外と屋内のいずれに位置するかを検出し、撮影時刻を取得し、撮像手段の向いている方位を検出する。ＧＰＳ受信部により取得された緯度及び経度の情報と、撮影時刻とに基づいて太陽の方位及び角度を取得する。装置本体が屋外に位置すると検出され、かつ表示手段の向いている方位と、太陽の方位とが同じである場合には、表示手段に太陽光が直接入射すると判定し、モニタに光が直接入射する場合には、モニタの表示設定を直接光入射時用の表示設定に切り替える。【選択図】  図８
2009171411.tif 000002
【特許請求の範囲】
【請求項１】
被写体を撮像する撮像手段と、
前記撮像手段を介して被写体を示す画像信号を連続的に取得する画像取得手段と、
前記画像取得手段で取得した画像信号に基づいて少なくとも撮影中の動画を表示する表示手段と、
装置本体が屋外と屋内のいずれに位置するかを検出する位置検出手段と、
撮影時刻を取得する時刻取得手段と、
前記表示手段が向いている方位を検出する方位検出手段と、
前記位置検出手段により検出された装置本体の位置と、前記時刻取得手段により取得された撮影時刻と、前記方位検出手段により検出された前記表示手段が向いている方位とに基づいて前記表示手段の画面に太陽光が直接入射するかどうかを判定する判定手段と、
前記判定手段による判定結果に基づいて前記表示手段の画面の明るさを含む表示設定を切り替える表示設定切替手段と、
を備えたことを特徴とする撮像装置。
【請求項２】
前記位置検出手段は、装置本体が位置する緯度及び経度の情報を取得する位置情報取得手段を有し、前記位置情報取得手段により取得された緯度及び経度の情報と、地図情報とに基づいて、前記装置本体が屋外と屋内のいずれに位置するかを検出することを特徴とする請求項１に記載の撮像装置。
【請求項３】
前記位置検出手段は、前記画像取得手段により取得された被写体までの距離を測距する測距手段を有し、前記測距手段で測距された被写体距離が所定の値以上である場合には、前記装置本体が屋外に位置することを検出することを特徴とする請求項１に記載の撮像装置。
【請求項４】
前記方位検出手段は、前記装置本体に内蔵の方位センサーを用いて、前記表示手段の向いている方位を検出することを特徴とする請求項１〜３のいずれかに記載の撮像装置。
【請求項５】
装置本体が位置する緯度の情報を取得する位置情報取得手段を有し、前記位置情報取得手段により取得された緯度の情報と、前記時刻取得手段により取得された撮影時刻とに基づいて、太陽の方位を取得する取得手段を更に備え、
前記判定手段は、前記方位検出手段により検出された表示手段の向いている方位と、前記取得手段により算出された太陽の方位とに基づいて前記表示手段の画面に太陽光が直接入射するかどうかを判定することを特徴とする請求項１〜４のいずれかに記載の撮像装置。
【発明の詳細な説明】
【技術分野】
【０００１】
本発明は撮像装置に係り、特に屋外で使用する撮像装置に関する。
【背景技術】
【０００２】
晴天時に屋外で撮影しようとした場合、液晶パネルに太陽光が入射してしまい、液晶表示が暗く見えてしまうため、表示が見づらくなる。液晶パネル等の表示手段の明るさを周囲の明るさなどに応じて調整する技術として、以下のようなものが提案されている。
【０００３】
特許文献１には、ストロボの反射光を用いて周囲の明るさを検出し、周囲の明るさに応じて液晶のバックライトを自動調光する技術が記載されている。
【０００４】
特許文献２には、センサーで検出された外光照度に基づいて、予め設定された複数の明るさのうちの適切な明るさでバックライトを点灯させる技術が記載されている。
【０００５】
特許文献３には、液晶パネルの表面と利用者の視線との角度に応じて、フロントライトの点灯制御を行なう技術が記載されている。
【特許文献１】特開２００２―５７９２０号公報
【特許文献２】特開２０００―１１１８７２号公報
【特許文献３】特開２００３―３０７７２２号公報
【発明の開示】
【発明が解決しようとする課題】
【０００６】
しかしながら、特許文献１に記載の技術は、センサーとしてストロボを用いているため、液晶パネルへ太陽光が直接入射するような場合には、液晶パネルと対向配置されているセンサーには太陽光が直接入射しないことにより、液晶パネルの表示は暗くなる。そのため、直接光により液晶パネルは見づらくなるという問題がある。
【０００７】
また、特許文献２に記載の技術は、周囲が明るい場合には、液晶表示を暗くするものであり、液晶パネル及びセンサーに直接光が入射する場合においても、センサーにより明るい環境下にあると判断され、液晶パネルの明るさは暗くなる。しかしながら、太陽光が液晶パネルに直接入射する場合には、太陽光の反射のため、液晶パネルは見づらくなる。そのため、太陽光が液晶パネルに直接入射する場合においては、液晶パネルに視認性は改善されず、液晶パネルは見づらいままである。
【０００８】
また、特許文献３に記載の技術は、液晶パネルの表面と利用者の視線との角度のみを考慮しており、太陽光の直接入射など周囲の環境を考慮していない。
【０００９】
本発明はこのような事情に鑑みてなされたもので、太陽光などが直接入射する場合においても、液晶パネルなどの表示を見やすくすることを目的とする。
【課題を解決するための手段】
【００１０】
請求項１に記載の撮像装置は、被写体を撮像する撮像手段と、前記撮像手段を介して被写体を示す画像信号を連続的に取得する画像取得手段と、前記画像取得手段で取得した画像信号に基づいて少なくとも撮影中の動画を表示する表示手段と、装置本体が屋外と屋内のいずれに位置するかを検出する位置検出手段と、撮影時刻を取得する時刻取得手段と、前記表示手段が向いている方位を検出する方位検出手段と、前記位置検出手段により検出された装置本体の位置と、前記時刻取得手段により取得された撮影時刻と、前記方位検出手段により検出された前記表示手段が向いている方位とに基づいて前記表示手段の画面に太陽光が直接入射するかどうかを判定する判定手段と、前記判定手段による判定結果に基づいて前記表示手段の画面の明るさを含む表示設定を切り替える表示設定切替手段と、を備えたことを特徴とする。
【００１１】
請求項１に記載の撮像装置によれば、装置本体が屋外と屋内のいずれに位置するかを検出し、撮影時刻を取得し、撮像手段の向いている方位を検出する。装置本体の位置と、撮影時刻と、撮像手段の向いている方位とに基づいて表示手段の画面に太陽光が直接入射するかどうかを判定し、判定結果に基づいて表示手段の画面の明るさを含む表示設定を切り替える。これにより、表示手段に太陽光が直接入射する場合にも、表示を見やすくすることができる。
【００１２】
請求項２に記載の撮像装置は、請求項１に記載の撮像装置において、前記位置検出手段は、装置本体が位置する緯度及び経度の情報を取得する位置情報取得手段を有し、前記位置情報取得手段により取得された緯度及び経度の情報と、地図情報とに基づいて、前記装置本体が屋外と屋内のいずれに位置するかを検出することを特徴とする。
【００１３】
請求項２に記載の撮像装置によれば、ＧＰＳなどにより装置本体が位置する緯度及び経度の情報を取得し、緯度及び経度の情報と、地図情報とに基づいて、装置本体が屋外と屋内のいずれに位置するかを検出する。これにより、装置本体の位置情報から表示手段に太陽光が直接入射する可能性があるかどうかを知ることができる。
【００１４】
請求項３に記載の撮像装置は、請求項１に記載の撮像装置において、前記位置検出手段は、前記画像取得手段により取得された被写体までの距離を測距する測距手段を有し、前記測距手段で測距された被写体距離が所定の値以上である場合には、前記装置本体が屋外に位置することを検出することを特徴とする。
【００１５】
請求項３に記載の撮像装置によれば、画像取得手段により取得された被写体までの距離を測距し、測距された被写体距離が所定の値以上である場合には、前記装置本体が屋外に位置すると検出する。これにより、装置本体の位置情報から表示手段に太陽光が直接入射する可能性があるかどうかを知ることができる。
【００１６】
請求項４に記載の撮像装置は、請求項１〜３のいずれかに記載の撮像装置において、前記方位検出手段は、前記装置本体に内蔵の方位センサーを用いて、前記表示手段の向いている方位を検出することを特徴とする。
【００１７】
請求項４に記載の撮像装置によれば、装置本体に内蔵の方位センサーを用いて、表示手段がどの方位を向いているかを検出する。これにより、特別な機器を用いることなく、表示手段に太陽光が直接入射する可能性があるかどうかを知ることができる。
【００１８】
請求項５に記載の撮像装置は、請求項１〜４のいずれかに記載の撮像装置において、装置本体が位置する緯度及び経度の情報を取得する位置情報取得手段を有し、前記位置情報取得手段により取得された緯度の情報と、前記時刻取得手段により取得された撮影時刻とに基づいて、太陽の方位を取得する取得手段を更に備え、前記判定手段は、前記方位検出手段により検出された表示手段の向いている方位と、前記取得手段により算出された太陽の方位とに基づいて前記表示手段の画面に太陽光が直接入射するかどうかを判定することを特徴とする。
【００１９】
請求項５に記載の撮像装置によれば、緯度及び経度の情報と、撮影時刻とに基づいて太陽の方位及び角度を取得し、表示手段の向いている方位と、太陽の方位とに基づいて前記表示手段の画面に太陽光が直接入射するかどうかを判定する。これにより、表示手段に太陽光が直接入射するかどうかを正確に判定することができる。
【発明の効果】
【００２０】
本発明によれば、太陽光などが直接入射する場合においても、液晶パネルなどの表示を見やすくすることができる。
【発明を実施するための最良の形態】
【００２１】
以下、添付図面に従って本発明に係るデジタルカメラを実施するための最良の形態について詳細に説明する。
【００２２】
図１は本発明に係るデジタルカメラの一実施形態を示す正面斜視図であり、図２はその背面斜視図である。この電子機器は、レンズを通った光を撮像素子で受け、デジタル信号に変換して記録メディアに記録するデジタルカメラである。
【００２３】
デジタルカメラ１０のカメラボディ１２は、横長の四角い箱状に形成されており、その正面には、図１に示すように、撮影レンズ１３、フラッシュ１６、ＡＦ補助光ランプ１８等が設けられており、上面には、シャッターボタン２２、モードレバー２４、電源ボタン２６等が設けられている。また、側面には、ＵＳＢ用コネクタ１５と開閉自在なスロットカバー１１が設けられている。スロットカバー１１の内側には、メモリカード５０を装着するためのメモリカードスロット１４が設けられている。
【００２４】
一方、カメラボディ１２の背面には、図２に示すように、モニタ２８、ズームボタン３０、再生ボタン３２、ファンクションボタン３４、十字ボタン３６、ＭＥＮＵ／ＯＫボタン３８、ＤＩＳＰ／ＢＡＣＫボタン４０等が設けられている。
【００２５】
なお、図示しない底面には、三脚ネジ穴と内側にバッテリを収納するための開閉自在なバッテリカバーとが設けられている。
【００２６】
レンズ１３は、沈胴式のズームレンズで構成されており、電源ボタン２６によってデジタルカメラ１０の電源をＯＮすることにより、カメラボディ１２から繰り出される。なお、レンズ１３のズーム機構や沈胴機構については、公知の技術なので、ここでは、その具体的な構成についての説明は省略する。
【００２７】
メモリカードスロット１４は、撮影した被写体の画像データ、音声データ等の各種データ、ファームウェアが記録されているメモリカードを装着するための接続部である。
【００２８】
ＵＳＢ用コネクタ１５は、パーソナルコンピュータ、プリンタ等の外部機器との間での信号伝達をするためＵＳＢ用ケーブルを接続するための接続部である。
【００２９】
フラッシュ１６は、たとえばキセノン管を光源として構成されており、その発光量を調整可能に形成されている。なお、キセノン管の他、高輝度のＬＥＤを光源としたフラッシュを用いることもできる。
【００３０】
ＡＦ補助光ランプ１８は、たとえば高輝度ＬＥＤで構成されており、ＡＦ時に必要に応じて発光される。
【００３１】
シャッターボタン２２は、いわゆる「半押し」と「全押し」とからなる二段ストローク式のスイッチで構成されている。デジタルカメラ１０は、このシャッターボタン２２を半押しすると撮影準備処理、すなわち、ＡＥ（Automatic Exposure：自動露出）、ＡＦ（Auto Focus：自動焦点合わせ）、ＡＷＢ（Automatic White Balance：自動ホワイトバランス）の各処理を行い、全押しすると、画像の撮影・記録処理を行う。
【００３２】
モードレバー２４は、デジタルカメラ１０の撮影モードを設定する撮影モード設定手段として機能し、このモードダイヤルの設定位置により、デジタルカメラ１０の撮影モードが様々なモードに設定される。例えば、絞り、シャッタースピード等がデジタルカメラ１０によって自動的に設定される「オート撮影モード」、動画撮影を行う「動画撮影モード」、人物撮影に適した「人物撮影モード」、動体撮影に適した「スポーツ撮影モード」、風景の撮影に適した「風景撮影モード」、夕景及び夜景の撮影に適した「夜景撮影モード」、絞りの目盛りを撮影者が設定し、シャッタースピードをデジタルカメラ１０が自動的に設定する「絞り優先撮影モード」、シャッタースピードを撮影者が設定し、絞りの目盛りをデジタルカメラ１０が自動的に設定する「シャッタースピード優先撮影モード」、絞り、シャッタースピード等を撮影者が設定する「マニュアル撮影モード」等である。
【００３３】
電源ボタン２６は、デジタルカメラ１０の電源をＯＮ／ＯＦＦするのに用いられ、所定時間（たとえば、２秒）押下されることにより、デジタルカメラ１０の電源がＯＮ／ＯＦＦされる。
【００３４】
モニタ２８は、カラー表示が可能な液晶ディスプレイで構成されている。このモニタ２８は、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００３５】
ズームボタン３０は、撮影レンズ１３のズーム操作に用いられ、望遠側へのズームを指示するズームテレボタンと、広角側へのズームを指示するズームワイドボタンとで構成されている。
【００３６】
再生ボタン３２は、再生モードへの切り替え指示に用いられる。すなわち、デジタルカメラ１０は、撮影中、この再生ボタン３２が押されると、再生モードに切り替えられる。また、電源ＯＦＦの状態でこの再生ボタン３２が押されると、再生モードの状態でデジタルカメラ１０が起動する。
【００３７】
ファンクションボタン３４は、撮影及び再生機能の各種設定画面の呼び出しに用いられる。すなわち、撮影時にこのファンクションボタン３４が押されると、モニタ２８に画像サイズ（記録画素数）、感度等の設定画面が表示され、再生時にこのファンクションボタン３４が押されると、モニタ２８に画像の消去、プリント予約（ＤＰＯＦ）の設定画面等が表示される。
【００３８】
十字ボタン３６は、上下左右４方向の指示を入力する方向指示手段として機能し、たとえば、メニュー画面でメニュー項目の選択などに使用される。
【００３９】
ＭＥＮＵ／ＯＫボタン３８は、各モードの通常画面からメニュー画面への遷移を指示するボタン（ＭＥＮＵボタン）として機能するととともに、選択内容の確定、処理の実行等を指示するボタン（ＯＫボタン）として機能する。
【００４０】
ＤＩＳＰ／ＢＡＣＫボタン４０は、モニタ２８の表示内容の切り替え指示（ＤＩＳＰ機能）に用いられるとともに、入力操作のキャンセル等の指示（ＢＡＣＫ機能）に用いられ、デジタルカメラ１０の設定状態に応じて割り当てられる機能が切り替えられる。
【００４１】
図３は、本実施の形態のデジタルカメラ１０の電気的構成を示すブロック図である。
【００４２】
同図に示すように、デジタルカメラ１０は、ＣＰＵ１１０、操作部（シャッターボタン２２、モードレバー２４、電源ボタン２６、ズームボタン３０、再生ボタン３２、ファンクションボタン３４、十字ボタン３６、ＭＥＮＵ／ＯＫボタン３８、ＤＩＳＰ／ＢＡＣＫボタン４０等）１１２、フラッシュＲＯＭ１１４、ＲＡＭ１１６、ＶＲＡＭ１１８、撮影光学系１２４、撮影光学系駆動制御部１２６、撮像素子１２８、タイミングジェネレータ１３０、アナログ信号処理部１３２、Ａ／Ｄコンバータ１３４、画像入力コントローラ１３６、画像信号処理部１３８、圧縮伸張処理部１４０、ＵＳＢＩ／Ｆ１４２、メディアコントローラ１４６、表示制御部１４８、ＡＥ／ＡＷＢ検出部１５２、ＡＦ検出部１５４、フラッシュ制御部１５６、ＡＦ補助光ランプ制御部１５８、位置情報取得部１６１、時刻情報取得部１６２、方位検出部１６３、傾斜角度検出部１６５等で構成されている。
【００４３】
ＣＰＵ１１０は、デジタルカメラ１０の全体の動作を統括制御する制御手段として機能するとともに、各種の演算処理を行う演算手段として機能し、操作部１１２からの入力に基づき所定の制御プログラムに従ってデジタルカメラ１０の各部を制御する。
【００４４】
フラッシュＲＯＭ１１４には、このＣＰＵ１１０が実行する制御プログラムであるファームウェア、制御に必要な各種データ、カメラ設定値、撮影された画像データ等が記録されている。なお、後述するように、撮影された画像データは、通常メモリカード５０に記録されるが、ユーザーが選択した場合、メモリカード５０が装填されていない場合、メモリカード５０の容量が不足した場合等にはフラッシュＲＯＭ１１４に記録される。
【００４５】
ＲＡＭ１１６は、ＣＰＵ１１０の作業用領域として利用されるとともに、画像データの一時記憶領域として利用され、ＶＲＡＭ１１８は、表示用の画像データ専用の一時記憶領域として利用される。
【００４６】
撮影光学系１２４は、撮影レンズ１３、絞り、シャッタを含み、各構成要素は、モータ等のアクチュエータで構成される駆動部１２４Ａに駆動されて動作する。たとえば、撮影レンズ１３を構成するフォーカスレンズ群は、フォーカスモータに駆動されて前後方向に移動し、ズームレンズ群は、ズームモータに駆動されて前後方向に移動する。また、絞りは、絞りモータに駆動されて拡縮し、シャッタは、シャッタモータに駆動されて開閉する。
【００４７】
撮影光学系駆動制御部１２６は、ＣＰＵ１１０からの指令に応じて撮影光学系１２４の駆動部１２４Ａを制御し、撮影レンズ１３、絞り、シャッタの動作を制御する。
【００４８】
撮像素子１２８は、たとえば、所定のカラーフィルタ配列のカラーＣＣＤで構成されており、撮影光学系１２４によって結像された被写体の画像を電子的に撮像する。
【００４９】
タイミングジェネレータ（ＴＧ）１３０は、ＣＰＵ１１０からの指令に応じて、この撮像素子１２８を駆動するためのタイミング信号を出力する。
【００５０】
アナログ信号処理部１３２は、撮像素子１２８から出力された画像信号に対して相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）を行い、増幅して出力する。
【００５１】
Ａ／Ｄコンバータ１３４は、アナログ信号処理部１３２から出力されたＲ、Ｇ、Ｂのアナログの画像信号をデジタルの画像信号に変換する。
【００５２】
画像入力コントローラ１３６は、所定容量のラインバッファを内蔵しており、ＣＰＵ１１０からの指令に従い、Ａ／Ｄコンバータ１３４から出力された１画像分の画像信号を蓄積して、ＲＡＭ１１６に記録する。
【００５３】
画像信号処理部１３８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００５４】
圧縮伸張処理部１４０は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００５５】
ＵＳＢＩ／Ｆ１４２は、ＣＰＵ１１０からの指令に従い、ＵＳＢ用コネクタ１５を介して接続されている外部機器から転送されたコマンドの検出、外部機器に対してデータの読み／書きの制御を行なう。なお、ＵＳＢＩ／Ｆ１４２で検出されたコマンドはＣＰＵ１１０に供給される。
【００５６】
メディアコントローラ１４６は、ＣＰＵ１１０からの指令に従い、メモリカードスロット１４に装填されたメモリカード５０に対してデータの読み／書きを制御する。
【００５７】
表示制御部１４８は、ＣＰＵ１１０からの指令に従い、モニタ２８への表示を制御する。すなわち、ＣＰＵ１１０からの指令に従い、入力された画像信号をモニタ２８に表示するための映像信号（たとえば、ＮＴＳＣ信号やＰＡＬ信号、ＳＣＡＭ信号）に変換してモニタ２８に出力するとともに、所定の文字、図形情報をモニタ２８に出力する。
【００５８】
ＡＥ／ＡＷＢ検出部１５２は、ＣＰＵ１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。ＣＰＵ１１０は、このＡＥ／ＡＷＢ検出部１５２から得た積算値に基づいて被写体の明るさ（被写体輝度）を検出し、撮影に適した露出値（撮影ＥＶ値）を算出する。そして、算出した撮影ＥＶ値と所定のプログラム線図から絞り値とシャッタ速度を決定する。また、ＡＷＢ制御に必要な物理量として、１画面を複数のエリア（例えば、１６×１６）に分割し、分割したエリアごとにＲ、Ｇ、Ｂの画像信号の色別の平均積算値を算出する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５９】
ＡＦ検出部１５４は、ＣＰＵ１１０からの指令に従い、入力された画像信号からＡＦ制御に必要な物理量を算出する。本実施の形態のデジタルカメラ１０では、撮像素子１２８から得られる画像のコントラストによりＡＦ制御が行われ（いわゆるコントラストＡＦ）、ＡＦ検出部１５４は、入力された画像信号から画像の鮮鋭度を示す焦点評価値を算出する。ＣＰＵ１１０は、このＡＦ検出部１５４で算出される焦点評価値が極大となる位置を検出し、その位置にフォーカスレンズ群を移動させる。すなわち、フォーカスレンズ群を至近から無限遠まで所定のステップで移動させ、各位置で焦点評価値を取得し、得られた焦点評価値が最大の位置を合焦位置として、その位置にフォーカスレンズ群を移動させる。
【００６０】
フラッシュ制御部１５６は、ＣＰＵ１１０からの指令に従い、フラッシュ１６の発光を制御する。
【００６１】
ＡＦ補助光ランプ制御部１５８は、ＣＰＵ１１０からの指令に従い、ＡＦ補助光ランプ１８の発光を制御する。すなわち、ＣＰＵ１１０は、ＡＦ時に被写体が暗いと判断すると、あるいは、被写体のコントラストが低いと判断すると、ＡＦ補助光ランプ制御部１５８を介してＡＦ補助光ランプ１８を発光させ、被写体にＡＦ補助光を照射させてＡＦ制御を実行する。
【００６２】
位置情報取得部１６１は、ＧＰＳ（グローバル・ポジショニング・システム：Global Positioning System）により、ＧＰＳ受信機１６０において受信された複数のＧＰＳ衛星からの電波に基づいて、デジタルカメラ１０の現在地情報を取得するものである。
【００６３】
時刻情報取得部１６２は、ＧＰＳ受信機１６０において受信された時刻情報（日時、現在時刻など）が入力されることにより、現在時刻を取得する。なお、時刻情報の取得は、ＧＰＳに限らず、デジタルカメラ１０に内蔵の時計から取得してもよい。
【００６４】
方位検出部１６３は、方位センサー１６４で測定されたデジタルカメラ１０の光軸の向いている方位を取得して、モニタ２８がどの方位を向いているかどうかを検出する。方位センサー１６４は、デジタルカメラ１０の内部に配設されており、カメラ正位置（レンズの光軸を水平とし、カメラの下面を下向きに構えた状態）を基準として、デジタルカメラ１０がどの方位を向いているかを検出できるようになっている。なお、方位センサー１６４として、様々な公知の傾斜センサーを用いることができる。
【００６５】
傾斜角度検出部１６５は、傾斜センサー１６６で測定されたデジタルカメラ１０の傾斜方向、傾斜角度などの情報を取得する。傾斜センサー１６６は、デジタルカメラ１０の内部に配設されており、カメラ正位置（レンズの光軸を水平とし、カメラの下面を下向きに構えた状態）を基準として、上下方向および光軸回転方向の２方向の傾斜角をそれぞれ検出できるようになっている。デジタルカメラ１０の正位置と、撮影レンズ１３の光軸方向又はモニタ２８の向きとの位置関係が分かっているため、傾斜センサー１６６で測定されたデジタルカメラ１０の傾斜方向、傾斜角度を取得することにより、撮影レンズ１３の光軸の向きやモニタ２８の向いている方向などが分かる。なお、傾斜センサー１６６として、様々な公知の傾斜センサーを用いることができる。
【００６６】
次に、以上のように構成された本実施の形態のデジタルカメラ１０の作用について説明する。
【００６７】
まず、デジタルカメラ１０の撮影、記録動作及び再生動作について説明する。
【００６８】
電源ボタン２６を押下し、デジタルカメラ１０の電源を投入すると、デジタルカメラ１０は、撮影モードの下で起動する。
【００６９】
まず、撮影光学系駆動制御部１２６を介して撮影光学系１２４の駆動部１２４Ａが駆動され、撮影レンズ１３が所定位置まで繰り出される。そして、撮影レンズ１３が所定位置まで繰り出されると、撮像素子１２８によってスルー画像用の撮影が行われ、モニタ２８にスルー画像が表示される。すなわち、撮像素子１２８で連続的に画像が撮像され、その画像信号が連続的に処理されて、スルー画像用の画像データが生成される。生成された画像データは、ＶＲＡＭ１１８を介して順次表示制御部１４８に加えられ、表示用の信号形式に変換されて、モニタ２８に出力される。これにより、撮像素子１２８で捉えた画像がモニタ２８にスルー表示される。撮影者は、このモニタ２８に表示されたスルー画像を見て構図を決定し、シャッターボタン２２を半押しする。
【００７０】
シャッターボタン２２が半押しされると、ＣＰＵ１１０にＳ１ＯＮ信号が入力される。ＣＰＵ１１０は、このＳ１ＯＮ信号に応動して、撮影準備処理、すなわち、ＡＥ、ＡＦ、ＡＷＢの各処理を実行する。
【００７１】
まず、撮像素子１２８から出力された画像信号をアナログ信号処理部１３２、Ａ／Ｄコンバータ１３４、画像入力コントローラ１３６を介してＲＡＭ１１６に取り込み、ＡＥ／ＡＷＢ検出部１５２及びＡＦ検出部１５４に加える。
【００７２】
ＡＥ／ＡＷＢ検出部１５２は、入力された画像信号からＡＥ制御及びＡＷＢ制御に必要な物理量を算出し、ＣＰＵ１１０に出力する。ＣＰＵ１１０は、このＡＥ／ＡＷＢ検出部１５２からの出力に基づき、絞り値とシャッタースピードを決定するとともに、ホワイトバランス補正値を決定する。同時に、検出された被写体輝度より、フラッシュの発光が必要かどうかを判断する。フラッシュ１６の発光が必要と判断された場合には、フラッシュ１６をプリ発光させ、その反射光に基づいて本撮影時のフラッシュ１６の発光量を決定する。
【００７３】
また、ＡＦ検出部１５４は、入力された画像信号からＡＦ制御に必要な物理量を算出し、ＣＰＵ１１０に出力する。ＣＰＵ１１０は、このＡＦ検出部１５４からの出力に基づき撮影光学系駆動制御部１２６を介して撮影光学系１２４の駆動部１２４Ａの駆動を制御し、フォーカスレンズの移動を制御して、撮影レンズ１３のピントを主要被写体に合わせる。この際、ＣＰＵ１１０は、必要に応じてＡＦ補助光ランプ１８を発光させて、ＡＦ制御を実行する。
【００７４】
撮影者は、モニタ２８に表示されるスルー画像を見て撮影レンズ１３のピント状態等を確認し、撮影を実行する。すなわち、シャッターボタン２２を全押しする。
【００７５】
シャッターボタン２２が全押しされると、ＣＰＵ１１０にＳ２ＯＮ信号が入力される。ＣＰＵ１１０は、このＳ２ＯＮ信号に応動して、撮影、記録処理を実行する。
【００７６】
まず、上記のＡＥ処理で求めた絞り値、シャッタースピードで撮像素子１２８を露光し、記録用の画像を撮像する。この際、フラッシュ１６を発光させる場合は、フラッシュ制御部１５６を介して、プリ発光の結果から求めたフラッシュ１６の発光量に基づいてフラッシュ１６を発光させる。
【００７７】
撮像素子１２８から出力された記録用の画像信号は、アナログ信号処理部１３２、Ａ／Ｄコンバータ１３４を介して画像入力コントローラ１３６に取り込まれ、ＲＡＭ１１６に格納される。ＲＡＭ１１６に格納された画像信号は、ＣＰＵ１１０の制御の下、画像信号処理部１３８に加えられる。画像信号処理部１３８は、入力された画像信号に所定の信号処理を施して、輝度データと色差データとからなる画像データ（ＹＵＶデータ）を生成する。
【００７８】
画像信号処理部１３８で生成された画像データは、一旦ＲＡＭ１１６に格納されたのち、圧縮伸張処理部１４０に加えられる。圧縮伸張処理部１４０は、入力された画像データに対して所定の圧縮処理を施し、圧縮画像データを生成する。
【００７９】
圧縮された画像データは、ＲＡＭ１１６に格納され、所定フォーマットの静止画像ファイル（たとえば、Ｅｘｉｆ）として、メディアコントローラ１４６を介してメモリカード５０に記録される。なお、メモリカード５０に画像ファイルが保存可能な空き領域が無い場合や、操作者が選択した場合等には、ＲＡＭ１１６に格納された画像データは、所定フォーマットの静止画像ファイル（たとえば、Ｅｘｉｆ）としてフラッシュＲＯＭ１１４に保存される。なお、フラッシュＲＯＭ１１４に画像データを保存する場合には、画像データは複数のクラスタ、通常は連続した複数のクラスタに保存される。
【００８０】
このようにしてメモリカード５０又はフラッシュＲＯＭ１１４に記録された画像データは、デジタルカメラ１０のモードを再生モードに設定することにより、モニタ２８に再生表示される。再生モードへの移行は、再生ボタン３２を押下することにより行われる。
【００８１】
再生ボタン３２が押下されると、ＣＰＵ１１０は最後に記録された画像ファイルの圧縮画像データを読み出す。最後に記録された画像ファイルがメモリカード５０に記録されている場合には、ＣＰＵ１１０は、メディアコントローラ１４６を介してメモリカード５０に最後に記録された画像ファイルの圧縮画像データを読み出す。最後に記録された画像ファイルがフラッシュＲＯＭ１１４に記録されている場合には、ＣＰＵ１１０は直接フラッシュＲＯＭ１１４から画像ファイルの圧縮画像データが読み取り可能である。
【００８２】
メモリカード５０又はフラッシュＲＯＭ１１４から読み出された圧縮画像データは、圧縮伸張処理部１４０に加えられ、非圧縮の画像データとされたのちＶＲＡＭ１１８に加えられる。そして、ＶＲＡＭ１１８から表示制御部１４８を介してモニタ２８に出力される。これにより、メモリカード５０又はフラッシュＲＯＭ１１４に記録されている画像が、モニタ２８に再生表示される。
【００８３】
画像のコマ送りは、十字ボタン３６の左右のキー操作で行なわれ、右キーが操作されると、次の画像ファイルがメモリカード５０から読み出され、モニタ２８に再生表示される。また、十字ボタン３６の左キーが操作されると、一つ前の画像ファイルがメモリカード５０又はフラッシュＲＯＭ１１４から読み出され、モニタ２８に再生表示される。
【００８４】
モニタ２８に再生表示された画像を確認しながら、必要に応じて、メモリカード５０又はフラッシュＲＯＭ１１４に記録された画像を消去することができる。画像の消去は、画像がモニタ２８に再生表示された状態でファンクションボタン３４が押下されることによって行われる。
【００８５】
ファンクションボタン３４が押下されると、ＣＰＵ１１０は表示制御部１４８を介して、モニタ２８に「この写真を消去してよろしいですか」等の画像消去を伝えるメッセージを画像に重ねて表示する。ＭＥＮＵ／ＯＫボタン３８が押下されると、その画像の消去が行われる。画像データがメモリカード５０に記録されている場合には、ＣＰＵ１１０はメディアコントローラ１４６を介してメモリカード５０に記録された画像ファイルを消去する。画像データがフラッシュＲＯＭ１１４に記録されている場合には、ＣＰＵ１１０は直接フラッシュＲＯＭ１１４から画像ファイルが消去可能である。
【００８６】
以上のように、デジタルカメラ１０は画像の撮影、記録及び再生を行う。
【００８７】
さて、本実施の形態のデジタルカメラ１０では、モニタ２８にスルー画像が表示される時や、撮影された画像の再生時などのモニタ２８を使用するときに、周囲の明るさや、太陽光の直接入射の有無などにより、モニタの明るさなどの表示設定を自動的に切り替える機能があり、モニタ表示が常に見やすい状態に保たれている。以下、モニタの明るさなどの表示設定を自動的に切り替える機能について説明する。
【００８８】
＜第１の実施の形態＞
モニタの明るさなどの表示設定を自動的に切り替える第１の実施の形態は、デジタルカメラ１０が屋外で使用されている場合に、モニタの明るさなどの表示設定を自動的に切り替えるものである。
【００８９】
図４は、本実施の形態の処理の流れを示すフローチャートである。ＣＰＵ１１０はこのフローにしたがって処理を行う。
【００９０】
位置情報取得部１６１により取得された緯度、経度などの位置情報と、フラッシュＲＯＭ１１４に予め記録されている地図データとに基づいて、デジタルカメラ１０がどの位置で使用されているかが求められる（ステップＳ１０）。そして、ステップＳ１０で求められたデジタルカメラ１０の使用位置が、屋内であるか屋外であるかが判断される（ステップＳ１１）。
【００９１】
デジタルカメラ１０の使用位置が屋内である場合（ステップＳ１１でＮＯ）は、モニタ２８の表示条件が通常ＬＣＤ表示条件設定に設定される（ステップＳ１６）。
【００９２】
デジタルカメラ１０の使用位置が屋外である場合（ステップＳ１１でＹＥＳ）は、現時点での時刻情報が取得され（ステップＳ１２）、取得された現在時刻が時刻ａと時刻ｂとの間にあるかが判断される（ステップＳ１３）。ここで、時刻ａは、夜間と昼間との境となる時刻であり、時刻ｂは、昼間と夜間との境となる時刻である。すなわち、ステップＳ１３では、現在時刻が昼間であるかどうかが判断される。なお、時刻ａ、時刻ｂは、季節や、ステップＳ１０で取得された緯度、経度などによって、適当な時刻が適宜設定される。
【００９３】
現在時刻が昼間であると判断された場合（ステップＳ１３でＹＥＳ）には、モニタ２８の周囲が明るいので、モニタ２８の表示条件が明るい場所でも見易い昼間ＬＣＤ表示条件設定に切り替えられる（ステップＳ１４）。また、現在時刻が夜間であると判断された場合（ステップＳ１３でＮＯ）には、モニタ２８の周りが暗いため、モニタ２８の表示設定が、表示の暗い部分が見易い夜間ＬＣＤ表示条件設定に切り替えられる（ステップＳ１５）。
【００９４】
昼間ＬＣＤ表示条件設定は、明るく、色味が濃く、かつコントラストが高い彩度の高い表示であり、図５に示すように、通常ＬＣＤ表示条件設定と比較して輝度、色味、コントラストのゲインを上げ、低輝度階調特性のゲインを下げた表示設定である。また、図６に示すように、低輝度側は低く、中間階調が急峻に立上るγ特性が設定される。なお、同じ昼間でも季節、時刻によって周囲の明るさ等が変わるため、昼間ＬＣＤ表示条件設定においては、取得された日時や時刻に応じて、輝度、色味、コントラスト及び低輝度階調特性のゲインは微調整される。
【００９５】
夜間ＬＣＤ表示条件設定は、明るくかつ色味が薄い低階調側が明るく見える表示であり、図５に示すように、通常ＬＣＤ表示条件設定と比較して輝度、低輝度階調特性のゲインを上げ、色味、コントラストのゲインを下げた表示設定である。また、図６に示すように、低輝度側階調を上げた滑らかなγ特性が設定される。
【００９６】
これにより一連の処理が終了される。上記処理を繰り返し行うことで、デジタルカメラ１０の置かれている環境に合わせたモニタ表示設定が常時行われる。
【００９７】
本実施の形態によれば、デジタルカメラが屋外で使用されているかどうかを判断し、現在時刻から推定される周囲の明るさに応じたモニタ表示を行うことにより、手動で液晶表示設定を変更する事無く、自動的に最適な表示設定に設定することができる。
【００９８】
なお、本実施の形態は、現在時刻が時刻ａと時刻ｂとの間にあるかを判断することで昼間か夜間かの場合分けを行ったが、朝、昼間、夕、夜間など更に細かい場合分けにすることもできる。この場合には、時刻ａより早い時刻である時刻ｃと、時刻ａとの間を朝とし、時刻ｂと、時刻ｂより遅い時刻である時刻ｄとの間を夕とすればよい。朝とされた場合には、モニタ２８の表示設定が、図５に示すように輝度、低輝度階調特性のゲインを上げ、色味、コントラストを下げた朝ＬＣＤ表示設定に設定される。また、夕とされた場合には、モニタ２８の表示設定が、図５に示すように輝度、色味、コントラストのゲインを上げ、低輝度階調特性を下げた夕ＬＣＤ表示設定に設定される。
【００９９】
＜第２の実施の形態＞
モニタの明るさなどの表示設定を自動的に切り替える第２の実施の形態は、第１の実施の形態と同様、デジタルカメラ１０が屋外で使用されている場合に、モニタの明るさなどの表示設定を自動的に切り替えるものであるが、デジタルカメラ１０が屋外で使用されていることを判断する方法が異なっている。
【０１００】
図７は、本実施の形態の処理の流れを示すフローチャートである。ＣＰＵ１１０はこのフローにしたがって処理を行う。なお、第１の実施の形態と同様の部分については、同じ符号を付し、説明を省略する。
【０１０１】
デジタルカメラ１０のＳ１がＯＮされると、ＡＦ検出部１５４において被写体距離の測距が行われ（ステップＳ２０）、測距された被写体距離が所定の閾値Ｘ以上であるかどうかが判断される（ステップＳ２１）。
【０１０２】
被写体距離が所定の閾値Ｘ以上である場合（ステップＳ２１でＹＥＳ）には、被写体までの距離が遠いため、デジタルカメラ１０の使用位置が屋外であると判断される。被写体距離が所定の閾値Ｘ以下である場合（ステップＳ２１でＮＯ）には、緯度、経度などの位置情報と、地図データとに基づいて、デジタルカメラ１０がどの位置で使用されているかが求められ（ステップＳ１０）、その位置が、屋内であるか屋外であるかが判断される（ステップＳ１１）。
【０１０３】
デジタルカメラ１０の使用位置が屋外である場合（ステップＳ２１でＹＥＳの場合及びステップＳ１１でＹＥＳの場合）には、現時点での時刻情報が取得され（ステップＳ１２）、取得された現在時刻が時刻ａと時刻ｂとの間にあるかが判断される（ステップＳ１３）。現在時刻が昼間であると判断された場合（ステップＳ１３でＹＥＳ）には、モニタ２８の表示設定が昼間ＬＣＤ表示条件設定に設定され（ステップＳ１４）、現在時刻が夜間であると判断された場合（ステップＳ１３でＮＯ）には、モニタ２８の表示設定が夜間ＬＣＤ表示条件設定に切り替えられる（ステップＳ１５）。
【０１０４】
デジタルカメラ１０の使用位置が屋内である場合（ステップＳ１１でＮＯ）は、モニタ２８の表示設定が通常ＬＣＤ表示条件設定に設定される（ステップＳ１６）。
【０１０５】
これにより一連の処理が終了される。上記処理を繰り返し行うことで、デジタルカメラ１０の置かれている環境に合わせたモニタ表示設定が常時行われる。
【０１０６】
本実施の形態によれば、ＧＰＳなどから位置情報を取得する前に、ＡＦと同様に被写体距離を測距し、被写体距離が一定値以上である場合には屋外での使用と判断するため、不必要に位置情報の受信を行わなくてすみ、省電力化することができる。
【０１０７】
＜第３の実施の形態＞
モニタの明るさなどの表示設定を自動的に切り替える第１の実施の形態及び第２の実施の形態は、モニタが見づらい屋外、昼間での使用と判断された場合には明るく、色味が濃く、かつコントラストが高い彩度の高い表示設定にするものであるが、昼間に屋外でモニタを見る場合において、モニタに太陽光が直接入射する場合には、更にモニタが見づらくなる。
【０１０８】
モニタの明るさなどの表示設定を自動的に切り替える第３の実施の形態は、モニタに太陽光が直接入射する場合においても見易い表示設定を行うものである。図８は、本実施の形態の処理の流れを示すフローチャートである。ＣＰＵ１１０はこのフローにしたがって処理を行う。なお、第１の実施の形態及び第２の実施の形態と同様の部分については、同じ符号を付し、説明を省略する。
【０１０９】
位置情報取得部１６１により取得された緯度、経度などの位置情報と、フラッシュＲＯＭ１１４に予め記録されている地図データとに基づいて、デジタルカメラ１０がどの位置で使用されているかを求め（ステップＳ１０）、の使用位置が、屋内であるか屋外であるかが判断される（ステップＳ１１）。
【０１１０】
デジタルカメラ１０の使用位置が屋内である場合（ステップＳ１１でＮＯ）は、モニタ２８の表示設定が通常ＬＣＤ表示条件設定に設定される（ステップＳ１６）。
【０１１１】
デジタルカメラ１０の使用位置が屋外である場合（ステップＳ１１でＹＥＳ）は、現時点での時刻情報が取得され（ステップＳ１２）、取得された現在時刻が昼間であるかどうかが判断される（ステップＳ１３）。現在時刻が夜間である場合（ステップＳ１３でＮＯ）には、モニタ２８の表示設定が夜間ＬＣＤ表示条件設定に切り替えられる（ステップＳ１６）。
【０１１２】
現在時刻が昼間である場合（ステップＳ１３でＹＥＳ）には、取得された現在時刻の情報から、現時点での太陽の位置（方位や角度など）が算出される（ステップＳ３１）。ＧＰＳ受信機１６０で受信される時刻情報には、時刻のみでなく、年月日の情報も含まれている。そこで、緯度及び経度と、時刻と、年月日との情報に基づいて、フラッシュＲＯＭ１１４に記憶されている所定の演算式を用いて太陽の位置が算出できる。また、緯度及び経度と、時刻と、日時との情報と、太陽の位置とが関連付けられたテーブルをフラッシュＲＯＭ１１４に予め記憶させておき、そのテーブルを参照して太陽の位置を求めるようにしてもよい。
【０１１３】
傾斜角度検出部１６５により、モニタ２８の傾斜角度が検出され（ステップＳ３２）、方位検出部１６３によりモニタ２８が向いている向きが検出される（ステップＳ３３）。
【０１１４】
その後、ステップＳ３１で算出された太陽の位置と、ステップＳ３２で取得されたモニタ２８の傾斜角度と、ステップＳ３３で所得されたモニタ２８の向いている向きとに基づいて、モニタ２８に太陽光が直接入射するかどうかが判断される（ステップＳ３４）。ここで、太陽光がモニタ２８に直接入射するのは、次のような場合が考えられる。まずは、モニタ２８がほぼ上を向いている場合である。この場合には、太陽がどのような位置にある場合においても、太陽光がモニタ２８に直接入射する。次に、モニタ２８が向いている向きを中心に略１８０°の範囲内に太陽が位置する場合である。この場合には、モニタ２８が下向きの場合以外には太陽光がモニタ２８に直接入射する。なお、太陽の位置は、撮影時刻が同じ場合においても緯度や季節などにより異なるため、太陽光がモニタ２８に直接入射するかどうかは、これらの要素を考慮して判断するのが好ましい。
【０１１５】
モニタ２８に太陽光が直接入射する場合（ステップＳ３４でＹＥＳ）には、昼間ＬＣＤ表示条件設定よりも明るく、色味が濃く、かつコントラストが高い彩度の高い表示である直接光ＬＣＤ表示条件設定に切り替えられる（ステップＳ３５）。モニタ２８に太陽光が直接入射しない場合（ステップＳ３４でＮＯ）には、昼間ＬＣＤ表示条件設定に切り替えられる（ステップＳ１４）。
【０１１６】
これにより一連の処理が終了される。上記処理を繰り返し行うことで、デジタルカメラ１０の置かれている環境に合わせたモニタ表示設定が常時行われる。
【０１１７】
本実施の形態によれば、直接光がモニタに入射する場合においても、それに対応した液晶表示設定にするため、手動で液晶表示設定を変更する事無く、自動的に最適な表示設定に設定することができる。
【０１１８】
また、本実施の形態によれば、内蔵の機器のみによりモニタ２８の向いている方向や、太陽の位置を求めることができるため、特別な機器を用いることなく、表示手段に光が直接入射する可能性があるかどうかを知ることができる。
【０１１９】
＜第４の実施の形態＞
モニタの明るさなどの表示設定を自動的に切り替える第１の実施の形態では、周囲の明るさに応じてモニタの表示設定を切り替えたが、モニタの表示設定が同じ場合においても、モニタがどの向きを向いているかにより、モニタの見え方は変化する。
【０１２０】
モニタの明るさなどの表示設定を自動的に切り替える第３の実施の形態は、モニタの向いている方向により表示設定を切り替えるものである。図９は、本実施の形態の処理の流れを示すフローチャートである。ＣＰＵ１１０はこのフローにしたがって処理を行う。なお、第１の実施の形態、第２の実施の形態及び第３の実施の形態と同様の部分については、同じ符号を付し、説明を省略する。
【０１２１】
傾斜角度検出部１６５により、撮影レンズ１３の光軸の傾斜角度が検出され（ステップＳ４０）、撮影レンズ１３の光軸がカメラ上向き閾値であるθ２より小さいかどうかが判断される（ステップＳ４１）。撮影レンズ１３の光軸がθ２以上である場合（ステップＳ４１でＮＯ）には、上向き撮影であり、上向き撮影処理（ステップＳ１０〜Ｓ４６）へ進む。
【０１２２】
撮影レンズ１３の光軸がθ２より小さい場合（ステップＳ４１でＹＥＳ）には、撮影レンズ１３の光軸がカメラ下向き閾値であるθ１より大きいかどうかが判断される（ステップＳ４２）。撮影レンズ１３の光軸がθ１より大きい場合（ステップＳ４１でＹＥＳ）には、通常撮影であり、通常撮影処理（ステップＳ１２〜Ｓ４９）へ進む。撮影レンズ１３の光軸がθ１以下である場合（ステップＳ４２でＮＯ）には、下向き撮影であり、通常ＬＣＤ表示条件設定に設定される（ステップＳ１６）。
【０１２３】
次に、上向き撮影処理（ステップＳ１０〜Ｓ４６）について説明する。屋外で上向き撮影を行う場合には、モニタ２８の表示設定を明るい表示設定に設定した場合においても、周囲（空）が明るいために、周囲の明るさとモニタ２８の明るさとのコントラストが低くなり、モニタ２８の視認性が悪くなる。上向き撮影処理は、このような場合においてもモニタ２８を見やすくするためのものである。
【０１２４】
位置情報取得部１６１により取得された緯度、経度などの位置情報と、フラッシュＲＯＭ１１４に予め記録されている地図データとに基づいて、デジタルカメラ１０がどの位置で使用されているかを求め（ステップＳ１０）、の使用位置が、屋内であるか屋外であるかが判断される（ステップＳ１１）。デジタルカメラ１０の使用位置が屋内である場合（ステップＳ１１でＮＯ）は、モニタ２８の表示設定が通常ＬＣＤ表示条件設定に設定される（ステップＳ１６）。
【０１２５】
デジタルカメラ１０の使用位置が屋外である場合（ステップＳ１１でＹＥＳ）は、Ｓ１の受付がされることにより、撮像素子１２８で取得された被写体像の照度（画角照度）が取得され（ステップＳ４３）、画角照度が所定の照度Ｌ以上であるかどうかが判断される（ステップＳ４４）。照度Ｌは、昼間か夜間かの境となる閾値である。画角照度がＬより小さい場合（ステップＳ４４でＮＯ）は、夜間であり、モニタ２８の表示設定が夜間ＬＣＤ表示条件設定に切り替えられる（ステップＳ１５）。
【０１２６】
画角照度がＬ以上である場合（ステップＳ４４でＹＥＳ）には、画角照度がＬ２以上であるかどうかが判断される（ステップＳ４５）。なお、照度Ｌ２は、照度Ｌより大きい値である。画角照度がＬ以上かつＬ２より小さい場合（ステップＳ４５でＮＯ）は、昼間であり、モニタ２８の表示設定が昼間ＬＣＤ表示条件設定に切り替えられる（ステップＳ１４）。画角照度がＬ２以上である場合（ステップＳ４５でＹＥＳ）には、下からモニタ２８を見上げるような場合であり、モニタ２８の表示設定が昼間ＬＣＤ表示条件設定である場合には、周囲が明るいため、モニタ２８と周囲とのコントラストが小さくなり、モニタ２８が見づらい。そのため、モニタ２８の表示設定が、昼間ＬＣＤ表示条件設定よりコントラストのゲインを上げた、すなわちコントラストが高い表示設定である上向きＬＣＤ表示条件設定に切り替えられる（ステップＳ４６）。
【０１２７】
次に、通常撮影処理（ステップＳ１２〜Ｓ４９）について説明する。通常撮影の場合には、撮影レンズ１３の光軸の向きと、太陽位置との関係により、逆光撮影となる場合はある。通常撮影の場合には、画角照度が大きいため、絞りなどにより画角照度が抑えられるが、周囲は太陽光により明るいため、周囲の明るさとモニタ２８の明るさとのコントラストが小さくなり、モニタ２８の視認性が悪くなる。通常撮影処理は、このような場合においてもモニタ２８を見やすくするためのものである。
【０１２８】
現時点での時刻情報が取得され（ステップＳ１２）、取得された現在時刻が昼間であるかどうかが判断される（ステップＳ１３）。現在時刻が夜間である場合（ステップＳ１３でＮＯ）には、モニタ２８の表示設定が夜間ＬＣＤ表示条件設定に切り替えられる（ステップＳ１６）。
【０１２９】
現在時刻が昼間である場合（ステップＳ１３でＹＥＳ）には、取得された現在時刻の情報から、現時点での太陽の位置（方位や高さなど）が算出され（ステップＳ３１）、方位検出部１６３により撮影レンズ１３の光軸が向いている向きが検出される（ステップＳ４７）。
【０１３０】
その後、ステップＳ３１で算出された太陽位置と、ステップＳ４０で取得された撮影レンズ１３の光軸の傾斜角度と、ステップＳ４７で所得されたモニタ２８の向いている向きとに基づいて、撮影レンズ１３の光軸に太陽光が入射するかどうか、すなわち逆光撮影かどうかが判断される（ステップＳ４８）。逆光撮影でない場合（ステップＳ４８でＮＯ）には、モニタ２８の表示設定が、昼間ＬＣＤ表示条件設定に切り替えられる（ステップＳ１４）。逆光撮影である場合（ステップＳ４８でＹＥＳ）には、絞りが強められて撮像素子１２８への光量が少なくなり、モニタ２８の表示が暗くなる。そのため、低階調側を上げ、暗い部分が見える逆光ＬＣＤ表示設定に切り替えられる。（ステップＳ４９）。
【０１３１】
逆光ＬＣＤ表示条件設定は、低階調側が明るく見える表示であり、図５に示すように、通常ＬＣＤ表示条件設定と比較して輝度、低輝度階調特性のゲインを上げ、色味、コントラストのゲインを下げた表示設定である。また、図６に示すように、低輝度側階調を上げ、さらに中間階調が急峻に立上るγ特性が設定される。
【０１３２】
これにより一連の処理が終了される。上記処理を繰り返し行うことで、デジタルカメラ１０の置かれている環境に合わせたモニタ表示設定が常時行われる。
【０１３３】
本実施の形態によれば、カメラの傾き、周囲の明るさ、太陽の位置などに基づいて、常に最適な表示設定が設定されるので、手動で液晶表示設定を変更する事無く、自動的に最適な表示設定に設定することができる。
【０１３４】
なお、本実施の形態では、撮影レンズ１３の光軸の傾きと、θ１、θ２とを比較して、下向き撮影、通常撮影及び上向き撮影の場合分けを行ったが、傾きにより場合分けをする方法はこれに限らない。例えば、タグなどを用いて、撮影レンズ１３の光軸がθ１以下であれば下向きフラグをたて、撮影レンズ１３の光軸がθ２より大きいのであれば上向きフラグをたて、Ｓ１受付時にフラグを確認することにより、下向き撮影、通常撮影及び上向き撮影の場合分けを行ってもよい。
【図面の簡単な説明】
【０１３５】
【図１】本発明が適用された電子機器（デジタルカメラ）の外観構成を示す正面斜視図である。
【図２】上記デジタルカメラの外観構成を示す背面斜視図である。
【図３】上記デジタルカメラの電気的構成を示すブロック図である。
【図４】上記デジタルカメラの表示条件設定処理の第１の実施の形態の全体の流れを示すフローチャートである。
【図５】各表示条件を説明する図である。
【図６】各表示条件を説明する図である。
【図７】上記デジタルカメラの表示条件設定処理の第２の実施の形態の全体の流れを示すフローチャートである。
【図８】上記デジタルカメラの表示条件設定処理の第３の実施の形態の全体の流れを示すフローチャートである。
【図９】上記デジタルカメラの表示条件設定処理の第４の実施の形態の全体の流れを示すフローチャートである。
【符号の説明】
【０１３６】
１０…デジタルカメラ、１２…カメラボディ、１３…撮影レンズ、１４…メモリカードスロット、１５…ＵＳＢ用コネクタ、２６…電源ボタン、２８…モニタ、４０…ＤＩＳＰ／ＢＡＣＫボタン、５０…メモリカード、５２…傾斜センサー、１１０…ＣＰＵ、１１４…フラッシュＲＯＭ、１１６…ＲＡＭ、１１８…傾斜角度検出部、１２０…ＶＲＡＭ、１４２…ＵＳＢＩ／Ｆ、１４４…画像処理部、１４５…ネーミング処理部、１４６…メディアコントローラ、１４８…表示制御部
【図１】
2009171411.tif 000003
【図２】
2009171411.tif 000004
【図３】
2009171411.tif 000005
【図４】
2009171411.tif 000006
【図５】
2009171411.tif 000007
【図６】
2009171411.tif 000008
【図７】
2009171411.tif 000009
【図８】
2009171411.tif 000010
【図９】
2009171411.tif 000011